(57)【要約】【課題】光ディスクを適切に支持できるディスク装置の提供。【解決手段】ディスク装置のターンテーブル２４０の鍔部２４２に、第１の弾性支持部２６０と、第２の弾性支持部２７０と、を備えた記録媒体支持装置２５０を設けている。第１の弾性支持部２６０を、所定の弾性力を有する材料により形成している。第２の弾性支持部２７０を、所定の弾性力および摩擦力を有しかつ第１の弾性支持部２６０よりも軟らかい材料により形成し、第１の弾性支持部２６０よりも光ディスク側に突出する状態で設けている。【選択図】図２
2008112491.tif 000002
【特許請求の範囲】
【請求項１】
ディスク状の記録媒体の中心に開口形成された軸孔に嵌挿して軸支する略円柱状の回転軸、および、この回転軸の外周面にフランジ状に突設され前記記録媒体の軸孔の周縁が載置されて支持する鍔部を有するターンテーブルの前記鍔部における前記記録媒体の一面に対向する鍔部対向面に設けられ、前記記録媒体を支持する記録媒体支持装置であって、
所定の弾性力を有する材料により形成された第１の弾性支持部と、
所定の弾性力および摩擦力を有しかつ前記第１の弾性支持部よりも軟らかい材料により形成され、前記第１の弾性支持部よりも前記記録媒体側に突出する状態で設けられた第２の弾性支持部と、
を具備したことを特徴とした記録媒体支持装置。
【請求項２】
請求項１に記載の記録媒体支持装置であって、
前記第１の弾性支持部は、前記回転軸の周方向に略沿う状態で設けられた
ことを特徴とした記録媒体支持装置。
【請求項３】
請求項２に記載の記録媒体支持装置であって、
前記第２の弾性支持部は、前記回転軸の周方向に略沿う状態で設けられた
ことを特徴とした記録媒体支持装置。
【請求項４】
請求項２または請求項３に記載の記録媒体支持装置であって、
前記第２の弾性支持部は、前記回転軸の径方向に略沿う状態で設けられた
ことを特徴とした記録媒体支持装置。
【請求項５】
請求項３または請求項４に記載の記録媒体支持装置であって、
前記第２の弾性支持部は、略点状に形成され、前記回転軸の前記方向に略沿って点在する状態で設けられた
ことを特徴とした記録媒体支持装置。
【請求項６】
請求項３または請求項４に記載の記録媒体支持装置であって、
前記第２の弾性支持部は、略線状に形成され、前記略線状の軸方向が前記回転軸の前記方向に略沿う状態で設けられた
ことを特徴とした記録媒体支持装置。
【請求項７】
請求項１ないし請求項６のいずれかに記載の記録媒体支持装置であって、
前記第１の弾性支持部および前記第２の弾性支持部は、一体的に形成された
ことを特徴とした記録媒体支持装置。
【請求項８】
請求項７に記載の記録媒体支持装置であって、
前記第１の弾性支持部は、前記鍔部対向面を略覆う略リング板状に形成された弾性基部と、この弾性基部における前記記録媒体の前記一面に対向する弾性対向面に凹状に設けられた凹部と、を備え、
前記第２の弾性支持部は、前記第１の弾性支持部の前記凹部内に設けられた
ことを特徴とした記録媒体支持装置。
【請求項９】
請求項１ないし請求項８のいずれかに記載の記録媒体支持装置であって、
前記第１の弾性支持部は、ブチルゴムにより形成され、
前記第２の弾性支持部は、シリコンゴムにより形成された
ことを特徴とした記録媒体支持装置。
【請求項１０】
ディスク状の記録媒体の中心に開口形成された軸孔に嵌挿して軸支する略円柱状の回転軸、および、この回転軸の外周面にフランジ状に突設され前記記録媒体の軸孔の周縁が載置されて支持する鍔部を有するターンテーブルと、
このターンテーブルの前記鍔部における前記記録媒体の一面に対向する鍔部対向面に設けられ、前記記録媒体を支持する請求項１ないし請求項９のいずれかに記載の記録媒体支持装置と、
前記記録媒体の他面における前記軸孔近傍に当接可能に設けられ、前記記録媒体支持装置とにて前記記録媒体を保持する保持部と、
を具備したことを特徴とした記録媒体保持装置。
【請求項１１】
ディスク状の記録媒体を収納可能なケース体と、
このケース体の前記記録媒体の収納位置近傍に設けられ、前記記録媒体を保持する請求項１０に記載の記録媒体保持装置と、
この記録媒体保持装置で保持された前記記録媒体へ情報を記録する記録処理、および、前記記録媒体に記録された情報を読み取る読取処理のうち少なくともいずれか一方の情報処理を実施する情報処理部と、
を具備したことを特徴としたディスク装置。
【発明の詳細な説明】
【技術分野】
【０００１】
本発明は、ターンテーブルに設けられ記録媒体を支持する記録媒体支持装置、記録媒体保持装置、および、ディスク装置に関する。
【背景技術】
【０００２】
従来、ターンテーブルに設けられ、スリップを防止する状態で記録媒体を支持する構成が知られている。（例えば、特許文献１参照）。
【０００３】
この特許文献１に記載のものは、リング状のゴムシートのディスク載置面に、放射状に３０度振り分けで設けられた切り込み部を形成している。そして、この切り込み部を、ゴムシートの深層に向かって傾斜方向をディスクの回転方向と同じ方向および逆の方向に交互に形成している構成が採られている。
【０００４】
【特許文献１】特開平９−３２６１６２号公報
【発明の開示】
【発明が解決しようとする課題】
【０００５】
ところで、上述したような特許文献１のような構成を用いて、ディスクの滑りの防止能力を高めるには、ゴムシートを軟らかくすることが考えられる。しかしながら、ゴムシートを軟らかくすると、ディスクが自重でゴムシートの厚さ方向に沈んでしまい、ディスクを適切にクランプできないおそれがある。また、クランプを適切にするためにゴムシートの硬度を適度に高めることが考えられるが、ディスクへの書き込み速度が変わって回転数が変化した際に滑り易くなるおそれがある。
このことから、ディスクである記録媒体を適切に支持可能な構成が望まれている。
【０００６】
本発明は、記録媒体を適切に支持可能な記録媒体支持装置、記録媒体保持装置、および、ディスク装置を提供することを１つの目的とする。
【課題を解決するための手段】
【０００７】
請求項１に記載の発明は、ディスク状の記録媒体の中心に開口形成された軸孔に嵌挿して軸支する略円柱状の回転軸、および、この回転軸の外周面にフランジ状に突設され前記記録媒体の軸孔の周縁が載置されて支持する鍔部を有するターンテーブルの前記鍔部における前記記録媒体の一面に対向する鍔部対向面に設けられ、前記記録媒体を支持する記録媒体支持装置であって、所定の弾性力を有する材料により形成された第１の弾性支持部と、所定の弾性力および摩擦力を有しかつ前記第１の弾性支持部よりも軟らかい材料により形成され、前記第１の弾性支持部よりも前記記録媒体側に突出する状態で設けられた第２の弾性支持部と、を具備したことを特徴とした記録媒体支持装置である。
【０００８】
請求項１０に記載の発明は、ディスク状の記録媒体の中心に開口形成された軸孔に嵌挿して軸支する略円柱状の回転軸、および、この回転軸の外周面にフランジ状に突設され前記記録媒体の軸孔の周縁が載置されて支持する鍔部を有するターンテーブルと、このターンテーブルの前記鍔部における前記記録媒体の一面に対向する鍔部対向面に設けられ、前記記録媒体を支持する請求項１ないし請求項９のいずれかに記載の記録媒体支持装置と、前記記録媒体の他面における前記軸孔近傍に当接可能に設けられ、前記記録媒体支持装置とにて前記記録媒体を保持する保持部と、を具備したことを特徴とした記録媒体保持装置である。
【０００９】
請求項１１に記載の発明は、ディスク状の記録媒体を収納可能なケース体と、このケース体の前記記録媒体の収納位置近傍に設けられ、前記記録媒体を保持する請求項１０に記載の記録媒体保持装置と、この記録媒体保持装置で保持された前記記録媒体へ情報を記録する記録処理、および、前記記録媒体に記録された情報を読み取る読取処理のうち少なくともいずれか一方の情報処理を実施する情報処理部と、を具備したことを特徴としたディスク装置である。
【発明を実施するための最良の形態】
【００１０】
〔ディスク装置の構成〕
以下、本発明における一実施の形態に係るディスク装置を図面に基づいて説明する。図１は、本発明の一実施の形態に係るディスク装置の内部構成を示す平面図である。図２は、記録媒体保持装置の概略構成を示す平面図である。図３は、記録媒体保持装置の概略構成を示す部分断面図である。
【００１１】
図１において、１００は、本発明の一実施の形態に係るディスク装置であり、このディスク装置１００は、例えば携帯型のパーソナルコンピュータなどの電気機器に装着されるいわゆるスリムディスク装置（或いはスリムディスクドライブ）と称されるものである。このディスク装置１００は、着脱可能に装着される面状の記録媒体、例えばＣＤ（Compact Disc）やＤＶＤ（Digital Versatile Disc）あるいはＢＤ（Blu-ray Disc：ブルーレイディスク）またはＨＤ−ＤＶＤ（High Definition DVD）などにおける少なくとも一面に設けられた図示しない記録面に記録された情報を読み出す情報処理である読取処理および記録面へ各種情報を記録する情報処理である記録処理の少なくとも一方の処理をする。
そして、ディスク装置１００は、ケース体１１０を備えている。
【００１２】
ケース体１１０は、底部側の下ケース１１１と天面側の図示しない上ケースとにより構成され、内部に空間を有する略四角箱状に形成されている。このケース体１１０は、一面側に開口部１１２を有している。そして、ケース体１１０内には、トレイ部１２０と、このトレイ部１２０の開口部１１２を介した進退移動を案内するレール部１３０と、トレイ部１２０の進退移動をケース体１１０内にロックする図示しないロック機構と、ディスク装置１００の動作の制御などを実施する図示しない制御回路部とが設けられている。
【００１３】
トレイ部１２０は、トレイ１２１を備えている。このトレイ１２１は、例えば合成樹脂などにて形成された略板状に形成され、ケース体１１０の開口部１１２から進出自在に設けられている。
また、トレイ１２１の一縁側には、トレイ１２１がケース体１１０内部に収納された状態で、ケース体１１０の開口部１１２を閉塞する化粧板１２２が設けられている。
さらに、トレイ１２１の上面側には、記録媒体としての光ディスク１０（図５参照）の径寸法より若干大きい円弧状凹部１２３が設けられている。また、トレイ１２１には、化粧板１２２側の一端部から円弧状凹部１２３の略中心に向かってディスク処理部２００が設けられている。
【００１４】
レール部１３０は、ケース体１１０の開口部１１２からトレイ１２１の進退方向に沿って配設され、トレイ１２１の両側面に沿って設けられている。このレール部１３０は、ケース体１１０に固定される一対のレール１３１と、トレイ１２１に摺動可能に設けられるレールガイド１３２と、を備えている。
【００１５】
レール１３１は、開口部１１２の左右両端からケース体１１０の奥側に向かって延出して形成されている。これらのレール１３１は、互いに対向する面が開口する断面略コ字状の凹溝を備えて形成され、この凹溝にそれぞれレールガイド１３２が摺動自在に支持されている。また、レール１３１には、図示しない摺動規制部が設けられており、レールガイド１３２の摺動範囲を規制している。すなわち、レール１３１の摺動規制部は、開口部１１２側にレールガイド１３２が移動した際に、レールガイド１３２が凹溝から外れて抜け落ちるのを防止している。
【００１６】
レールガイド１３２はトレイ１２１の両側面にそれぞれ設けられており、前述したように、レール１３１の凹溝に摺動可能に保持されている。また、レールガイド１３２は、トレイ１２１に対して摺接自在に取り付けられている。また、トレイ１２１には、図示しない移動規制部が設けられており、この移動規制部によりレールガイド１３２は摺動範囲を規制され、トレイ１２１がレールガイド１３２からの抜け落ちを防止している。
【００１７】
トレイ部１２０に設けられたディスク処理部２００は、例えば金属板にて略板状に形成され一端が揺動自在にトレイ１２１に支持された台座部２１０を有している。この台座部２１０は、トレイ１２１の化粧板１２２側の一端部から、中心位置に向かって長手に形成されている。また、台座部２１０には、長手方向に沿って、長手状の処理開口部２１１が略中央に切欠形成されている。そして、台座部２１０の処理開口部２１１の一端側にディスク回転駆動手段２２０が配設されている。
【００１８】
ディスク回転駆動手段２２０は、図示しないスピンドルモータと、このスピンドルモータの出力軸に一体的に設けられた記録媒体保持装置２３０と、を備えている。
スピンドルモータは、制御回路部に制御可能に接続され、制御回路部から供給される電力により駆動する。
記録媒体保持装置２３０は、トレイ１２１の略中心部に設けられるとともに光ディスク１０を回転可能に保持する。そして、記録媒体保持装置２３０は、ターンテーブル２４０と、記録媒体支持装置２５０と、保持部としての３個のディスク係脱部２８０と、などを備えている。
【００１９】
ターンテーブル２４０は、図１、図２、および、図３に示すように、光ディスク１０の中心に開口形成された軸孔１１（図５参照）に嵌挿して軸支する略円柱状の回転軸２４１と、この回転軸２４１の外周面にフランジ状に突設され光ディスク１０の軸孔１１の周縁が載置されて支持する鍔部２４２と、などを備えている。
【００２０】
記録媒体支持装置２５０は、鍔部２４２における光ディスク１０の一面１２（図５参照）に対向する鍔部対向面２４２Ａに設けられた第１の弾性支持部２６０と、この第１の弾性支持部２６０よりも光ディスク１０側に突出する状態で設けられた第２の弾性支持部２７０と、を備えている。
【００２１】
第１の弾性支持部２６０は、例えばブチルゴムなどの所定の弾性力を有する材料により、リング板状に形成された弾性基部２６１を備えている。この弾性基部２６１は、外径が鍔部２４２の外径と略等しく、かつ、内径が回転軸２４１の外縁よりも若干大きいリング板状に形成されている。この弾性基部２６１は、リング板状の一面に設けられた例えば接着剤などの固定部材を介して、鍔部２４２の鍔部対向面２４２Ａを略覆う状態で固定されている。つまり、第１の弾性支持部２６０は、回転軸２４１の周方向に略沿う状態で設けられている。
また、弾性基部２６１の他面、すなわち光ディスク１０の一面１２に対向する弾性対向面２６１Ａには、平面視で丸形状の凹状に形成された２４個の凹部２６２が設けられている。これら凹部２６２は、弾性基部２６１の内縁に沿って略等間隔で並ぶ８箇所の位置から、放射状に３個ずつ略等間隔で並ぶ状態で設けられている。
【００２２】
第２の弾性支持部２７０は、例えばシリコンゴムなどの所定の弾性力および摩擦力を有し、かつ、第１の弾性支持部２６０よりも軟らかい材料により、略半球状に形成されている。具体的には、第２の弾性支持部２７０は、平面部分の外径が凹部２６２の外径よりも小さく、かつ、平面部分から頂点部分までの高さ寸法が凹部２６２の深さ寸法よりも大きい略半球状に形成されている。
そして、第２の弾性支持部２７０は、凹部２６２の略中央に、かつ、頂点部分が第１の弾性支持部２６０の弾性対向面２６１Ａよりも光ディスク１０側に突出する状態で、例えば接着材などの固定部材を介して固定されている。つまり、第２の弾性支持部２７０は、略点状に形成され、回転軸２４１の周方向および径方向に沿って点在する状態で設けられている。また、第１の弾性支持部２６０および第２の弾性支持部２７０は、一体的に形成されている。
【００２３】
３個のディスク係脱部２８０は、回転軸２４１の周方向に沿って略等間隔に、かつ、回転軸２４１の径方向外側に進退可能に設けられている。これらディスク係脱部２８０は、回転軸２４１の外縁から突出した状態で、記録媒体支持装置２５０とにて、光ディスク１０を保持する。
【００２４】
また、台座部２１０には、図１に示すように、情報処理部３００が設けられている。この情報処理部３００は、処理移動部３１０と、この処理移動部３１０により処理開口部２１１内でターンテーブル２４０に対して近接離隔されるピックアップ保持部３２０と、このピックアップ保持部３２０で保持される光ピックアップ３３０と、などを備えている。
【００２５】
処理移動部３１０は、一対のガイドシャフト３１１と、ピックアップ移動手段３１２と、を備えている。
ピックアップ移動手段３１２は、ターンテーブル２４０近傍に設けられた電動用モータ３１２Ａを備えている。この電動用モータ３１２Ａの図示しないモータ軸には、外周面に螺旋状の係合溝３１２Ｂ１が設けられたリードスクリュ３１２Ｂが同軸上に一体的に連結されている。
【００２６】
ピックアップ保持部３２０は、一対のガイドシャフト３１１を架橋する状態で設けられた略長方形板状の保持部本体３２１を備えている。この保持部本体３２１の長手方向の一端には、一方のガイドシャフト３１１を軸受けするシャフト軸受孔３２２Ａを備えた２個のメインシャフト受部３２２が設けられている。さらに、保持部本体３２１の長手方向の一端には、リードスクリュ３１２Ｂの係合溝３１２Ｂ１に係合される２個の規制爪３２３Ａを備えた移動規制部３２３が設けられている。また、保持部本体３２１の長手方向の他端には、他方のガイドシャフト３１１に係合される断面コ字状のシャフト係合部３２４Ａを備えたサブシャフト受部３２４が設けられている。
【００２７】
光ピックアップ３３０は、図示しない光源と、この光源からの光を収束するピックアップレンズ３３１と、光ディスク１０で反射された出射光を検出する図示しない光センサと、を備えている。これら光源、ピックアップレンズ３３１、および、光センサは、保持部本体３２１の略中央に、光ディスク１０に臨む状態で設けられている。
【００２８】
制御回路部は、ディスク処理部２００の動作を制御して、例えば情報処理部３００に光ディスク１０の情報読込処理や情報書込処理を実施させたりする。また、制御回路部は、ターンテーブル２４０の回転動作や、情報処理部３００の移動動作、台座部２１０の動作などをも制御する。さらに、制御回路部は、化粧板１２２に設けられたイジェクトボタンから入力されるイジェクト命令信号を制御回路部に出力する。
【００２９】
〔記録媒体支持装置の製造方法〕
次に、上述した記録媒体支持装置２５０の製造方法を図面に基づいて説明する。図４は、記録媒体支持装置の製造方法を示す模式図である。
【００３０】
まず、作業者は、ブチルゴムを用いて、弾性基部２６１の弾性対向面２６１Ａに２４個の凹部２６２が設けられた第１の弾性支持部２６０を製造する。そして、この第１の弾性支持部２６０を図示しない作業台に載置し、凹部２６２に図示しない接着剤を塗布する。
この後、図４に示すように、溶融したシリコンゴムＳ（以下、溶融シリコンゴムＳと称す）を凹部２６２上に滴下する。そして、溶融シリコンゴムＳが冷却されることにより、略半球状の第２の弾性支持部２７０が形成されるとともに、接着材が硬化することにより、第２の弾性支持部２７０が第１の弾性支持部２６０に固定される。
【００３１】
〔ディスク装置の動作〕
次に、上述したディスク装置１００の動作として、軸孔１１近傍が変形していない光ディスク１０（以下、正常ディスク１０Ａと称す）の保持動作、および、軸孔１１近傍が変形している光ディスク１０（以下、変形ディスク１０Ｂと称す）の保持動作について説明する。図５は、正常ディスクの保持状態を示す模式図である。図６は、変形ディスクの保持状態を示す模式図である。
なお、軸孔１１近傍が変形した状態とは、軸孔１１近傍の面方向と、軸方向とが略直交しない状態を意味する。
【００３２】
（正常ディスクの保持動作）
まず、正常ディスク１０Ａの保持動作について説明する。
【００３３】
ディスク装置１００は、図１に示すようなトレイ１２１がケース体１１０に収納され、かつ、ロック機構によるトレイ１２１のロックが解除された状態で、利用者により例えば化粧板１２２が引き出されると、トレイ１２１がレール部１３０に支持されて外部にスライド移動する。
この後、作業者により、正常ディスク１０Ａがターンテーブル２４０の回転軸２４１に挿通されつつ、一面１２が記録媒体支持装置２５０で支持される状態に移動されると、ディスク装置１００の記録媒体保持装置２３０は、図５に示すように、ディスク係脱部２８０により軸孔１１を記録媒体支持装置２５０の方向に押圧して、正常ディスク１０Ａを保持する。
【００３４】
このとき、正常ディスク１０Ａは、軸孔１１近傍が変形してない、つまり軸孔１１近傍の面方向と、軸方向とが略直交しているため、その一面１２と、第１の弾性支持部２６０の弾性対向面２６１Ａと、が略平行となる状態で保持される。
そして、第１の弾性支持部２６０は、正常ディスク１０Ａの一面１２により、弾性対向面２６１Ａの略全体部分が略等しい状態で押圧されて弾性変形し、正常ディスク１０Ａを挿通方向の所定位置に位置決めする。
さらに、回転軸２４１の径方向に沿った３個の第２の弾性支持部２７０は、正常ディスク１０Ａの一面１２により、略等しい状態で押圧されて弾性変形する。このとき、第２の弾性支持部２７０は、第１の弾性支持部２６０より軟らかい材料により形成されているため、頂点部分が弾性対向面２６１Ａと略同一面上に位置する状態に押しつぶされ、正常ディスク１０Ａとの間に生じる摩擦力により正常ディスク１０Ａの滑りを防止する。
【００３５】
この後、ディスク装置１００は、利用者によりトレイ１２１が押し込まれると、トレイ１２１をレール部１３０によりケース体１１０の内部に案内し、ロック機構によりロックして、記録処理や読取処理を適宜実施する。
【００３６】
（変形ディスクの保持動作）
次に、変形ディスク１０Ｂの保持動作について説明する。なお、上述した正常ディスク１０Ａの動作と同様の動作については、説明を省略する。
【００３７】
ディスク装置１００の記録媒体保持装置２３０は、作業者により、変形ディスク１０Ｂが回転軸２４１に挿通されつつ、一面１２が記録媒体支持装置２５０で支持される状態に移動されると、図６に示すように、ディスク係脱部２８０とにより変形ディスク１０Ｂを保持する。
【００３８】
このとき、変形ディスク１０Ｂは、軸孔１１近傍が変形している、つまり軸孔１１近傍の面方向と、軸方向とが略直交していないため、変形ディスク１０Ｂの一面１２と、弾性対向面２６１Ａと、が略平行とならない状態で保持される。
そして、第１の弾性支持部２６０は、変形ディスク１０Ｂにより、弾性対向面２６１Ａにおける回転軸２４１近傍部分のみが押圧されて弾性変形し、変形ディスク１０Ｂを所定位置に位置決めする。
さらに、回転軸２４１の径方向に沿った３個の第２の弾性支持部２７０は、変形ディスク１０Ｂにより、回転軸２４１から離れるにしたがって弱くなる押圧力で押圧されて弾性変形する。そして、これら３個の第２の弾性支持部２７０は、回転軸２４１から離れるにしたがって高さ寸法が大きくなる状態に押しつぶされ、変形ディスク１０Ｂとの間に生じる摩擦力により変形ディスク１０Ｂの滑りを防止する。つまり、これら３個の第２の弾性支持部２７０は、軸孔１１近傍の変形に追従した状態で押しつぶされて、回転軸２４１の径方向に沿った３箇所において、摩擦力により変形ディスク１０Ｂの滑りを防止する。
【００３９】
〔ディスク装置の作用効果〕
上述したように、上記実施の形態では、ディスク装置１００のターンテーブル２４０の鍔部２４２に、第１の弾性支持部２６０と、第２の弾性支持部２７０と、を備えた記録媒体支持装置２５０を設けている。そして、第１の弾性支持部２６０を、所定の弾性力を有する材料により形成している。さらに、第２の弾性支持部２７０を、所定の弾性力および摩擦力を有しかつ第１の弾性支持部２６０よりも軟らかい材料により形成し、第１の弾性支持部２６０よりも光ディスク１０側に突出する状態で設けている。
このため、記録媒体支持装置２５０は、ターンテーブル２４０の回転軸２４１に光ディスク１０が挿通された際に、この光ディスク１０の押圧により弾性変形した第１の弾性支持部２６０により、光ディスク１０を挿通方向の所定位置に位置決めすることができる。さらに、光ディスク１０の押圧により弾性変形し、頂点部分が弾性対向面２６１Ａと略同一面上に位置する状態に押しつぶされた第２の弾性支持部２７０と、光ディスク１０と、の間に生じる摩擦力により、光ディスク１０の滑りを防止することができる。
したがって、光ディスク１０を適切に保持可能な位置に位置決めしつつ、例えば回転数の変化に伴うターンテーブル２４０上での滑りを防止することができ、光ディスク１０を適切に支持できる。
【００４０】
そして、第１の弾性支持部２６０を、回転軸２４１の周方向に略沿う状態で設けている。
このため、第１の弾性支持部２６０を回転軸２４１の周方向に沿わずに１箇所のみに設ける構成と比べて、光ディスク１０を所定位置にバランスよく位置決めすることができる。
【００４１】
さらに、第２の弾性支持部２７０を、回転軸２４１の周方向に略沿う状態で設けている。
このため、光ディスク１０における周方向に略沿った複数箇所で、第２の弾性支持部２７０との当接による摩擦力を生じさせることができる。したがって、第２の弾性支持部２７０を回転軸２４１の周方向に沿わずに１箇所のみに設ける構成と比べて、光ディスク１０の回転方向への滑りをより確実に防止できる。
【００４２】
また、第２の弾性支持部２７０を、回転軸２４１の径方向に略沿う状態で設けている。
このため、光ディスク１０における径方向に略沿った複数箇所で、第２の弾性支持部２７０との当接による摩擦力を生じさせることができる。したがって、変形ディスク１０Ｂを支持する場合であっても、軸孔１１近傍の変形に追従した状態で押しつぶされた複数の第２の弾性支持部２７０により、変形ディスク１０Ｂの径方向への滑りをさらに確実に防止できる。
【００４３】
そして、第２の弾性支持部２７０を、略点状に形成し、回転軸２４１の周方向および径方向に略沿って点在する状態で設けている。
このため、第２の弾性支持部２７０を形成するための材料の使用量を最小限に抑えた状態で、光ディスク１０の滑りを確実に防止できる。
【００４４】
さらに、第１の弾性支持部２６０および第２の弾性支持部２７０を、一体的に形成している。
このため、第１の弾性支持部２６０および第２の弾性支持部２７０を例えばそれぞれ略点状に形成して、第１の弾性支持部２６０を鍔部２４２に固定した後に、第２の弾性支持部２７０を固定する構成と比べて、記録媒体支持装置２５０の運搬や管理を容易にできる。
【００４５】
そして、弾性基部２６１の弾性対向面２６１Ａに設けられた凹部２６２に、第２の弾性支持部２７０を載置する状態で設けている。
このため、第２の弾性支持部２７０を第１の弾性支持部２６０に対して位置決めする作業を実施したり、金型などの位置決めする構成を用いたりする必要がなく、記録媒体支持装置２５０の製造を容易にできる。
【００４６】
また、第１の弾性支持部２６０をブチルゴムにより形成し、第２の弾性支持部２７０をシリコンゴムにより形成している。
このため、一般的に安価でかつ取り扱いが容易なブチルゴムやシリコンゴムを用いることにより、記録媒体支持装置２５０の製造を安価でかつ容易にできる。
【００４７】
そして、記録媒体保持装置２３０に、ターンテーブル２４０と、記録媒体支持装置２５０と、この記録媒体支持装置２５０とにて光ディスク１０を保持するディスク係脱部２８０と、を設けている。
このため、上述したような光ディスク１０を適切に支持できる記録媒体支持装置２５０を記録媒体保持装置２３０に適用することにより、より適切に光ディスク１０を保持できる。
さらに、より適切に光ディスク１０を保持できる記録媒体保持装置２３０をディスク装置１００に設けることにより、光ディスク１０の記録処理や読取処理をより適切に実施できる。
【００４８】
〔実施の形態の変形〕
なお、本発明は、上述した一実施の形態に限定されるものではなく、本発明の目的を達成できる範囲で以下に示される変形をも含むものである。
【００４９】
すなわち、上記実施の形態では、ディスク装置１００は、ノート型パーソナルコンピュータなどに搭載可能な薄型ディスク装置を例示したが、これに限定されず、例えばデスクトップ型パーソナルコンピュータなどに搭載される比較的大型のディスク装置にも適用することができる。
【００５０】
そして、図７および図８に示すような記録媒体保持装置４００としてもよい。
この図７および図８に示す記録媒体保持装置４００は、ターンテーブル２４０と、記録媒体支持装置４１０と、３個のディスク係脱部２８０と、などを備えている。
記録媒体支持装置４１０は、鍔部対向面２４２Ａに設けられた第１の弾性支持部４２０と、この第１の弾性支持部４２０よりも光ディスク１０側に突出する状態で設けられた第２の弾性支持部４３０と、を備えている。
【００５１】
第１の弾性支持部４２０は、例えばブチルゴムなどの所定の弾性力を有する材料により、弾性基部２６１と略等しいリング板状に形成された弾性基部４２１を備えている。この弾性基部４２１は、鍔部対向面２４２Ａを略覆う状態で固定されている。
また、弾性基部４２１の弾性対向面４２１Ａには、平面視で略細長長方形状の凹状に形成された８個の凹部４２２が設けられている。これら凹部４２２は、弾性基部４２１の内縁に沿って略等間隔で並ぶ８箇所の位置から、放射状に略等間隔で並ぶ状態で設けられている。
【００５２】
第２の弾性支持部４３０は、例えばシリコンゴムなどの所定の弾性力および摩擦力を有し、かつ、第１の弾性支持部４２０よりも軟らかい材料により、略細長直方体状に形成されている。具体的には、第２の弾性支持部４３０は、平面視での外形上が凹部４２２よりも小さく、かつ、上面部分から下面部分までの高さ寸法が凹部４２２の深さ寸法よりも大きい形状に形成されている。
そして、第２の弾性支持部４３０は、凹部４２２の略中央に、かつ、上面が弾性対向面４２１Ａよりも光ディスク１０側に突出する状態で固定されている。つまり、第２の弾性支持部４３０は、略直線状に形成され、略直線状の軸方向が回転軸２４１の径方向に沿う状態で設けられている。また、第１の弾性支持部４２０および第２の弾性支持部４３０は、一体的に形成されている。
【００５３】
このような記録媒体保持装置４００により正常ディスク１０Ａを保持する際には、図９に示すように、正常ディスク１０Ａの一面１２と、弾性対向面４２１Ａと、が略平行となる状態で保持される。
そして、第１の弾性支持部４２０は、正常ディスク１０Ａにより、弾性対向面４２１Ａの略全体部分が略等しい状態で押圧されて弾性変形し、正常ディスク１０Ａを挿通方向の所定位置に位置決めする。
さらに、第２の弾性支持部４３０は、正常ディスク１０Ａにより、上面の略全体部分が略等しい状態で押圧されて弾性変形し、上面が弾性対向面４２１Ａと略同一面上に位置する状態に押しつぶされ、正常ディスク１０Ａとの間に生じる摩擦力により正常ディスク１０Ａの滑りを防止する。
また、変形ディスク１０Ｂを保持する際にも、ここでは図示しないが、上記実施の形態の記録媒体保持装置２３０と同様に、弾性対向面４２１Ａにおける回転軸２４１近傍部分のみが押圧されて第１の弾性支持部４２０が弾性変形し、変形ディスク１０Ｂを所定位置に位置決めする。さらに、第２の弾性支持部４３０は、回転軸２４１から離れるにしたがって高さ寸法が大きくなる状態、つまり軸孔１１近傍の変形に追従した状態で押しつぶされ、変形ディスク１０Ｂとの間に生じる摩擦力により変形ディスク１０Ｂの滑りを防止する。
【００５４】
このような図７および図８に示すような構成にすれば、上記実施の形態の記録媒体支持装置２５０と同様の作用効果を奏することができる。さらに、第２の弾性支持部４３０を、略直線状に形成し、この略直線状の軸方向が回転軸２４１の径方向に沿う状態で設けているので、上記実施の形態の構成と比べて、光ディスク１０における周方向に略沿った部分における第２の弾性支持部４３０との当接部分を多くすることができる。したがって、より大きい摩擦力を生じさせることができ、光ディスク１０の滑りをさらに確実に防止できる。
【００５５】
そして、図１０に示すような製造方法で製造された記録媒体支持装置５００を適用してもよい。
この記録媒体支持装置５００を製造する際には、例えばブチルゴムを用いて、第１の弾性支持部５１０を製造する。この第１の弾性支持部５１０は、ここでは図示されていないが略リング板状の弾性基部５１１を備えている。弾性基部５１１には、弾性対向面５１１Ａ、および、この弾性対向面５１１Ａに対向する弾性非対向面５１１Ｂを貫通する状態に、例えば２４個の孔部５１２が設けられている。これら孔部５１２は、平面視で上記実施の形態の凹部２６２と略等しい位置に設けられている。
そして、この第１の弾性支持部５１０を図示しない作業台に載置し、例えば孔部５１２の周面に図示しない接着剤を塗布する。
この後、溶融シリコンゴムＳを孔部５１２内に充填する。そして、溶融シリコンゴムＳが冷却されることにより、頂点部分が弾性対向面５１１Ａよりも突出する形状の第２の弾性支持部５２０が形成されるとともに、接着材が硬化することにより、第２の弾性支持部５２０が第１の弾性支持部５１０に固定される。
【００５６】
さらに、図１１に示すような記録媒体支持装置５５０を適用してもよい。
この記録媒体支持装置５５０を製造する際には、例えばブチルゴムを用いて、第１の弾性支持部５６０を製造する。この第１の弾性支持部５６０は、ここでは図示されていないが略リング板状の弾性基部５６１を備えている。弾性基部５６１の弾性対向面５６１Ａには、平面視で略細長長方形状の凹状に形成された例えば８個の凹部５６２が設けられている。これら凹部５６２は、弾性基部５６１の内縁に沿って略等間隔で並ぶ８箇所の位置から、長手方向が弾性基部５６１の径方向と略一致する状態で設けられている。
また、シリコンゴムを用いて、凹部５６２と同数の第２の弾性支持部５７０を製造する。この第２の弾性支持部５７０は、略長方形板状の基部５７１と、この基部５７１の長手方向に沿って略等間隔で設けられた３個の凸部５７２と、を備えている。基部５７１は、平面視で凹部５６２と略等しい長方形状、かつ、厚さ寸法が凹部５６２の深さ寸法よりも小さい形状に形成されている。凸部５７２は、基部５７１の上面から略半球状に突出し、かつ、頂点部分から基部５７１の下面までの寸法が凹部５６２の深さ寸法よりも大きい形状に形成されている。
そして、第１の弾性支持部５６０の凹部５６２に接着剤を塗布し、この凹部５６２に第２の弾性支持部５７０を載置する。そして、接着材が硬化することにより、凸部５７２の頂点部分が弾性対向面５６１Ａよりも突出する状態で第２の弾性支持部５７０が第１の弾性支持部５６０に固定される。
【００５７】
また、図１２に示すような記録媒体支持装置６００を適用してもよい。
この記録媒体支持装置６００は、図１２に示すように、第１の弾性支持部６１０と、例えば２４個の第２の弾性支持部６２０と、を備えている。
第１の弾性支持部６１０は、ここでは図示されていないが略リング板状の弾性基部６１１を備えている。弾性基部６１１には、弾性対向面６１１Ａおよび弾性非対向面６１１Ｂを貫通する状態に、例えば２４個の孔部６１２が設けられている。これら孔部６１２は、平面視で上記実施の形態の凹部２６２と略等しい位置に設けられている。また、孔部６１２は、弾性対向面６１１Ａ側に設けられ平面視で略円形状に形成された孔上部６１２Ａと、深さ方向略中央に設けられ径寸法が平面視で孔上部６１２Ａよりも小さい略円形状に形成された孔中部６１２Ｂと、弾性非対向面６１１Ｂ側に設けられ径寸法が平面視で孔上部６１２Ａと略等しい略円形状に形成された孔下部６１２Ｃと、を備えている。
第２の弾性支持部６２０は、第１の弾性支持部６１０の孔部６１２に嵌合可能、かつ、高さ寸法が第１の弾性支持部６１０の厚さ寸法よりも大きい略円柱状に形成されている。具体的には、第２の弾性支持部６２０は、孔下部６１２Ｃに嵌合する略円板状の弾性下部６２１と、孔中部６１２Ｂに嵌合する略円柱状の弾性中部６２２と、孔上部６１２Ａ内に位置する略半球状の弾性上部６２３と、にて、略円柱状に形成されている。そして、第２の弾性支持部６２０は、弾性上部６２３の頂点部分が弾性対向面６１１Ａよりも突出する状態で設けられている。
【００５８】
この記録媒体支持装置６００を製造する際には、例えばブチルゴムを用いて、第１の弾性支持部６１０を製造する。そして、この第１の弾性支持部６１０を、図１３に示すように、金型７００内にセットする。
ここで、金型７００は、金型上部７１０と、金型下部７２０と、を備えている。金型上部７１０には、第１の弾性支持部６１０の弾性対向面６１１Ａ側の部分および側面部分に対応する凹状の第１の凹状部７１１が設けられている。また、この第１の凹状部７１１における孔中部６１２Ｂに対応する部分には、略半球状の第２の凹状部７１２がそれぞれ設けられている。また、金型下部７２０には、孔部６１２に対応する位置に貫通孔７２１がそれぞれ設けられている。
そして、第１の弾性支持部６１０を金型上部７１０に嵌合して、金型下部７２０で弾性非対向面６１１Ｂ側を閉塞する。この後、溶融シリコンゴムを、貫通孔７２１を介して、第１の弾性支持部６１０の孔部６１２および金型上部７１０の第２の凹状部７１２に充填する。そして、溶融シリコンゴムが冷却されることにより、図１２に示すように、頂点部分が弾性対向面６１１Ａよりも突出する略円柱形状の第２の弾性支持部６２０が一体的に形成される。
【００５９】
これら記録媒体支持装置５００，５５０，６００を用いても、上記実施の形態の記録媒体支持装置２５０と同様の作用効果を奏することができる。
【００６０】
また、第１の弾性支持部２６０を回転軸２４１の周方向に略沿う状態で設けたが、例えばリング板状の弾性基部２６１の代わりに、１個の略長方形板状の構成を、長手方向が径方向に沿う状態で設ける構成としてもよい。また、記録媒体支持装置４１０，５００，５５０，６００にも同様の構成を適用してもよい。
このような構成にすれば、第１の弾性支持部２６０を形成するための材料の使用量を最小限に抑えた状態で、光ディスク１０の滑りを確実に防止できる。
なお、弾性基部２６１の代わりに適用する上述した略長方形板状の構成を、回転軸２４１の周方向に略沿って所定間隔毎に配置する構成としてもよい。つまり、第１の弾性支持部２６０を回転軸２４１の周方向に略沿って非連続的に設ける構成としてもよい。
【００６１】
そして、１個の第２の弾性支持部２７０のみを設ける構成としてもよい。また、記録媒体支持装置４１０，５００，５５０，６００にも同様の構成を適用してもよい。
このような構成にすれば、第２の弾性支持部２７０を形成するための材料の使用量をさらに抑えた状態で、光ディスク１０の滑りを確実に防止できる。
【００６２】
また、第１の弾性支持部および第２の弾性支持部のうち少なくともいずれか一方を、回転軸２４１の略同心円状に設ける構成としてもよい。このとき、同心円状に設ける構成としては、略点状に形成したものを略同心円状に所定間隔で配置してもよいし、略リング状に形成したものを配置してもよい。
さらに、略点状などの所定形状に形成した第１の弾性支持部や第２の弾性支持部を、鍔部対向面２４２Ａ上に不規則に配置する構成としてもよい。このとき不規則に配置する構成としては、第１の弾性支持部および第２の弾性支持部を隙間なく配置してもよいし、互いに接触しない状態で配置してもよい。
【００６３】
また、第１の弾性支持部２６０をブチルゴムで、第２の弾性支持部２７０をシリコンゴムで形成したが、上述した材料以外の材料で形成してもよい。また、記録媒体支持装置４１０，５００，５５０，６００にも同様の構成を適用してもよい。
【００６４】
その他、本発明の実施の際の具体的な構造および手順は、本発明の目的を達成できる範囲で他の構造などに適宜変更できる。
【００６５】
〔実施の形態の効果〕
上述したように、上記実施の形態では、ディスク装置１００のターンテーブル２４０に、所定の弾性力を有する第１の弾性支持部２６０と、所定の弾性力および摩擦力を有しかつ第１の弾性支持部２６０よりも軟らかい材料により形成され、第１の弾性支持部２６０よりも光ディスク１０側に突出する状態で設けられた第２の弾性支持部２７０と、を有する記録媒体支持装置２５０を設けている。
このため、記録媒体支持装置２５０は、ターンテーブル２４０の回転軸２４１に光ディスク１０が挿通された際に、この光ディスク１０の押圧により弾性変形した第１の弾性支持部２６０により、光ディスク１０を挿通方向の所定位置に位置決めすることができる。さらに、光ディスク１０の押圧により弾性変形し、頂点部分が弾性対向面２６１Ａと略同一面上に位置する状態に押しつぶされた第２の弾性支持部２７０と、光ディスク１０と、の間に生じる摩擦力により、光ディスク１０の滑りを防止することができる。
したがって、光ディスク１０を適切に保持可能な位置に位置決めしつつ、例えば回転数の変化に伴うターンテーブル２４０上での滑りを防止することができ、光ディスク１０を適切に支持できる。
【図面の簡単な説明】
【００６６】
【図１】本発明の一実施の形態に係るディスク装置の内部構成を示す平面図である。
【図２】前記一実施の形態における記録媒体保持装置の概略構成を示す平面図である。
【図３】前記一実施の形態における記録媒体保持装置の概略構成を示す部分断面図である。
【図４】前記一実施の形態における記録媒体支持装置の製造方法を示す模式図である。
【図５】前記一実施の形態における正常ディスクの保持状態を示す模式図である。
【図６】前記一実施の形態における変形ディスクの保持状態を示す模式図である。
【図７】本発明の他の実施の形態に係る記録媒体保持装置の概略構成を示す平面図である。
【図８】前記他の実施の形態における記録媒体保持装置の概略構成を示す部分断面図である。
【図９】前記他の実施の形態における正常ディスクの保持状態を示す模式図である。
【図１０】本発明のさらに他の実施の形態に係る記録媒体支持装置の製造方法を示す模式図である。
【図１１】本発明のさらに他の実施の形態に係る記録媒体支持装置を示す模式図である。
【図１２】本発明のさらに他の実施の形態に係る記録媒体支持装置を示す模式図である。
【図１３】前記さらに他の実施の形態に係る記録媒体支持装置の製造方法を示す模式図である。
【符号の説明】
【００６７】
１０…記録媒体としての光ディスク
１１…軸孔
１００…ディスク装置
１１０…ケース体
２３０，４００…記録媒体保持装置
２４０…ターンテーブル
２４２Ａ…鍔部対向面
２５０，４１０，５００，５５０，６００…記録媒体支持装置
２６０，４２０，５１０，５６０，６１０…第１の弾性支持部
２６１，４２１，５６１…弾性基部
２６１Ａ，４２１Ａ，５６１Ａ…弾性対向面
２６２，４２２，５６２…凹部
２７０，４３０，５２０，５７０，６２０…第２の弾性支持部
２８０…保持部としてのディスク係脱部
３００…情報処理部
【図１】
2008112491.tif 000003
【図２】
2008112491.tif 000004
【図３】
2008112491.tif 000005
【図４】
2008112491.tif 000006
【図５】
2008112491.tif 000007
【図６】
2008112491.tif 000008
【図７】
2008112491.tif 000009
【図８】
2008112491.tif 000010
【図９】
2008112491.tif 000011
【図１０】
2008112491.tif 000012
【図１１】
2008112491.tif 000013
【図１２】
2008112491.tif 000014
【図１３】
2008112491.tif 000015